(57)【要約】【課題】災害等によって地盤沈下した既設岸壁の補修を短期間で容易に行うことができ、補修費用を抑えることができる岸壁補修工法を提供する。【解決手段】災害等によって地盤沈下した既設岸壁２を囲むように型枠３を設置する。そして、既設岸壁２を囲んだ型枠３内に、第１コンクリートガレキ層４を既設岸壁２の地盤面１２の上面に敷設する。そして、第１コンクリートガレキ層４の上面に第１コンクリート６を打設する。このとき、第１コンクリート層６が硬化する前に差し筋１８を田植えして配筋する。更に、第１コンクリート層６が適当な強度に硬化した後、第１コンクリート層６の上面に第２コンクリートガレキ層５を敷設し、その後、第２コンクリートガレキ層５の上面に第２コンクリート層７を打設する。これにより、災害等により地盤沈下した既設岸壁２の補修作業が容易となり、また、工事期間の短縮及び補修費用を抑えることができる。【選択図】図１
2014091993.tif 000002
【特許請求の範囲】
【請求項１】
既設岸壁を補修する岸壁補修工法において、
補修する既設岸壁を囲むように型枠を設置し、
前記型枠内の前記既設岸壁の地盤面の上面に第１コンクリートガレキ層を敷設し、
前記第１コンクリートガレキ層の上面に、第１コンクリート層を打設すると共に、該第１コンクリート層に差し筋を田植えして配筋し、
前記第１コンクリート層が適当な強度に硬化した後、前記差し筋の上端を露出させるように、前記第１コンクリート層の上面に第２コンクリートガレキ層を敷設し、更に、
前記第２コンクリートガレキ層の上面から突出する前記差し筋を埋設するように、前記第２コンクリートガレキ層の上面に第２コンクリートを打設することを特徴とする岸壁補修工法。
【請求項２】
前記型枠は、上下２段で構成される複数のアンカー筋と、前記アンカー筋の下方に上下２段で構成される複数の傾き調整用ボルト穴と、左右の前記アンカー筋の間に配置されるステー取付穴とを備え、前記ステー取付穴は、排水口として兼用することを特徴とする請求項１に記載の岸壁補修工法。
【請求項３】
前記型枠取付用ステーは、前記既設岸壁の前記地盤面にアンカーボルトによって固定されることを特徴とする請求項１に記載の岸壁補修工法。
【請求項４】
前記第１コンクリートガレキ層及び前記第２コンクリートガレキ層は、災害等により発生した構造物のガレキを利用することを特徴とする請求項１に記載の岸壁補修工法。
【発明の詳細な説明】
【技術分野】
【０００１】
本発明は、地震等の災害によって地盤沈下した既設岸壁を補修する岸壁補修工法に関する。
【背景技術】
【０００２】
湾岸、海岸等には、漁船、貨物船及びフェリー等を着岸させるために、岸壁が築造されている。しかし、東日本大震災によって、海岸線沿いの地面が地盤沈下したことで、岸壁も地面と共に沈下した。これにより、乗客及び乗員を安全に乗降させることができず、また、安全に荷役作業をすることができないという事態が発生した。このため、乗客及び乗員の乗降、又は、荷役作業を安全に行うために、既設岸壁を迅速に補修することが望まれている。
【０００３】
例えば、従来、特許文献１には、災害により崩壊した岸壁施設を補修するための補修方法が開示されている。この補修方法は、地震により流動した内陸側の埋立て用土砂の沈下部分を埋立て、埋立てた土砂の土留めを傾倒したケーソンの上端部に施すようにし、海底に複数の鋼管杭を打込み、鋼製の案内台を打込んだ鋼管杭に溶接によって固着して岸壁施設を補修する。
【先行技術文献】
【特許文献】
【０００４】
【特許文献１】特開平８−２７７５１３号公報
【発明の概要】
【発明が解決しようとする課題】
【０００５】
しかしながら、災害によって岸壁が地盤沈下、又は、崩壊等した場合、築造場所を変更して岸壁を築造する工事、又は、水没した岸壁の水域を仮締切して補修する工事が行われているが、この工事では、長期間の作業が必要であり、多大な費用がかかる。また、特許文献１の補修方法では、海底に複数の鋼管杭を打込み、鋼製の案内台を鋼管杭に溶接によって固着する必要があるため、補修期間が長期となると共に、補修費用が増大することとなる。
【０００６】
本発明は、上記の点に鑑みてなされたものであり、災害等によって地盤沈下した既設岸壁の補修を短期間で容易に行うことができ、補修費用を抑えることができる岸壁補修工法を提供することを目的とする。
【課題を解決するための手段】
【０００７】
上記の課題を解決するために、請求項１の岸壁補修工法に係る発明は、既設岸壁を補修する岸壁補修工法において、
補修する既設岸壁を囲むように型枠を設置し、
前記型枠内の前記既設岸壁の地盤面の上面に第１コンクリートガレキ層を敷設し、
前記第１コンクリートガレキ層の上面に、第１コンクリート層を打設すると共に、該第１コンクリート層に差し筋を田植えして配筋し、
前記第１コンクリート層が適当な強度に硬化した後、前記差し筋の上端を露出させるように、前記第１コンクリート層の上面に第２コンクリートガレキ層を敷設し、更に、
前記第２コンクリートガレキ層の上面から突出する前記差し筋を埋設するように、前記第２コンクリートガレキ層の上面に、第２コンクリートを打設することを特徴とする。
また、上記課題を解決するために、請求項２の岸壁補修工法に係る発明は、前記型枠は、上下２段で構成される複数のアンカー筋と、前記アンカー筋の下方に上下２段で構成される複数の傾き調整用ボルト穴と、左右の前記アンカー筋の間に配置されるステー取付穴とを備え、前記ステー取付穴は、排水口として兼用することを特徴とする。
また、上記課題を解決するために、請求項３の岸壁補修工法に係る発明は、前記型枠取付用ステーは、前記既設岸壁の前記地盤面にアンカーボルトによって固定されることを特徴とする。
また、上記課題を解決するために、請求項４の岸壁補修工法に係る発明は、前記第１コンクリートガレキ層及び前記第２コンクリートガレキ層は、災害等により発生した構造物のガレキを利用することを特徴とする。
【発明の効果】
【０００８】
本発明によれば、災害等によって地盤沈下した既設岸壁の補修を短期間で容易に行うことができ、補修費用を抑えることができる岸壁補修工法を提供することができる。
【図面の簡単な説明】
【０００９】
【図１】本発明の一実施形態に係る補修後の岸壁構造の断面図である。
【図２】図１に示す型枠の斜視図である。
【図３】図１に示す型枠固定用ステーの斜視図である。
【図４】補修対象の既設岸壁に取付けられた型枠及び型枠固定用ステーの全景を示す斜視図である。
【図５】隣接する型枠同士をつなぐ連結金具の正面図である。
【図６】既設岸壁が斜めに地盤沈下したときの岸壁補修の概略図である。
【図７】既設岸壁の地盤沈下程度による岸壁補修の概略図である。
【発明を実施するための形態】
【００１０】
以下、本発明の一実施形態を図１〜図５に基づいて詳細に説明する。
図１は、本発明の一実施形態に係る補修後の岸壁構造の断面図であり、図２は、図１に示す型枠３の斜視図であり、図３は、図１に示す型枠固定用ステー１０の斜視図であり、図４は、補修対象の既設岸壁２に取付けられた型枠３及び型枠固定用ステー１０の全景を示す斜視図であり、図５は、隣接する型枠３同士をつなぐ連結金具１６の正面図である。図１に示すように、本実施形態は、災害等によって地盤沈下等した既設岸壁２を補修し、新たに岸壁１を築造する岸壁補修工法に関するものである。
【００１１】
本発明の実施形態に係る岸壁補修工法により補修した岸壁１は、既設岸壁２の周囲を囲むように設置した型枠３と、型枠３内に、下層から上層の順に、既設岸壁２の地盤面（ＧＬ面）１２上に敷設する第１コンクリートガレキ層４と、この第１コンクリートガレキ層４の上面に打設する第１コンクリート層６と、この第１コンクリート層６の上面に敷設する第２コンクリートガレキ層５と、この第２コンクリートガレキ層５の上面に打設する第２コンクリート層（表層コンクリート）７とから修復されて築造されている。そして、本発明の実施形態に係る補修後の岸壁１は、補修時に使用する型枠３は取外すことなく、そのまま構造物として残される。以下、災害等によって地盤沈下した既設岸壁２を補修する岸壁補修工法について説明する。
【００１２】
まず、補修対象の既設岸壁２は、その地盤面１２に型枠固定用ステー１０を固定するためのアンカーボルト１７を埋設するための穴（図示せず）が設けられる。また、第１コンクリートガレキ層４及び第２コンクリートガレキ層５は、災害等によって発生した構造物等のガレキを利用する。具体的には、第１コンクリートガレキ層４は、鉄筋が含まれたコンクリートガレキを使用し、第２コンクリートガレキ層５は、砕石の替わりに、鉄筋が含まれていないコンクリートガレキを使用する。
【００１３】
図２に示すように、型枠３は、略長方形の鋼板であり、ステンレス鋼（ＳＵＳ３０４材）を使用している。例えば、型枠３は、長さ８ｍ、幅２.４３８ｍ及び板厚１２ｍｍの鋼板を使用している。型枠３は、型枠固定用ステー１０及び傾き調整ボルト１５（アジャストボルト）によって既設岸壁２に設置される。型枠３には、型枠３の膨らみを防止するためのアンカー筋８と、このアンカー筋８の下部に設けられた傾き調整ボルト穴９と、型枠型枠固定用ステー１０を取付けるためのステー取付穴１１と、傾き調整ボルト１５を取付けるナット１９とが設けられている。ナット１９は、海２０側に面する型枠３の上部傾き調整ボルト穴９ａ及び下部傾き調整ボルト穴９ｂの位置に溶接により固着されている。また、型枠３は、連結金具１６を介して、隣接する一方の型枠３ａと他方の型枠３ｂとが連結される（図５参照）。この連結金具１６は、ボルト等によって型枠３に取付けられる。なお、型枠３の設計寸法は、適宜変更することができる。
【００１４】
図１及び２に示すように、アンカー筋８は、略Ｌ字型の異形鉄筋であり、第１コンクリート層用アンカー筋８ａ及び第２コンクリート層用アンカー筋８ｂの上下２段で構成されている。アンカー筋８は、型枠３の長手方向の中心から左右に所定間隔に９本設けられ、かつ、型枠３の短手方向に上下２段になるように溶接により固着されている。例えば、第１コンクリート層用アンカー筋８ａ及び第２コンクリート層用アンカー筋８ｂは、長手方向の中心から左右に７００ｍｍ間隔で９本設けられ、第２コンクリート層用アンカー筋８ｂは、型枠２の上端から下方に１００ｍｍの位置に溶着し、第１コンクリート層用アンカー筋８ａは、第２コンクリート層用アンカー筋８ｂの溶接位置からさらに下方に６００ｍｍの位置に溶着されている。なお、アンカー筋８は、略Ｌ字型の棒部材を用いているが、略Ｊ字型の異形鉄筋を使用することもできる。また、アンカー筋８の設置位置は、適宜変更することができる。
【００１５】
図２に示すように、傾き調整ボルト穴９は、アンカー筋８の設置位置の下方に設けられ、上部傾き調整ボルト穴９ａ及び下部傾き調整ボルト穴９ｂで構成されている。例えば、下部傾き調整ボルト穴９ｂは、型枠３の下端から上方に１５０ｍｍの位置に設けられ、上部傾き調整ボルト穴９ａは、下部傾き調整ボルト穴９ｂの中心から上方に５００ｍｍの位置に設けられている。なお、傾き調整ボルト穴９の設置位置は、適宜変更することができる。
【００１６】
ステー取付穴１１は、型枠３の長手方向の略中心から左右に所定間隔に５箇所に設けられ、かつ、型枠３の短手方向の中心から上下に所定間隔で５箇所に設けられている。例えば、ステー取付穴１１は、型枠３の長手方向の中心から左右に約１７５０ｍｍ間隔で５箇所、型枠３の短手方向の中心から上下に４００ｍｍ間隔で５箇所に設けられている。このステー取付穴１１は、左右のアンカー筋８，８の間に位置するように設けられている。また、ステー取付穴１１は、型枠固定用ステー１０を固定すること以外に、既設岸壁２の地盤面１２に浸透された海水が出入りするための排水口としても機能することができる。
【００１７】
図１及び３に示すように、型枠固定用ステー１０は、製缶加工により直角を形成する２辺と、２辺の各端部を直結する筋交い辺とから略三角形に形成されている。直角を形成する２辺の断面は、略Ｌ字形に形成されている。型枠固定用ステー１０の一辺（図３の上下方向の辺）には、複数のボルト穴１３が設けられ、型枠固定用ステー１０の他辺（図３の水平方向の辺）には、複数のアンカーボルト穴１４が設けられている。この型枠固定用ステー１０は、ボルト２１をボルト穴１３に挿入することによって型枠３に螺合され、アンカーボルト１７をアンカーボルト穴１４に挿入することによって既設岸壁３の地盤面１２に固定されている。
【００１８】
次に、災害等によって地盤沈下した既設岸壁２の補修工法について説明する。
図１、４及び５に示すように、まず、補修する既設岸壁２の地盤面１２を略平坦に整地して、整地した地盤面１２に合わせて連結金具１６を用いて所定数の型枠３（３ａ，３ｂ）を連結する。そして、連結した型枠３を既設岸壁２に配置して、傾き調整ボルト１５によって既設岸壁２に設置する。このとき、型枠３には、型枠固定用ステー１０が予め取付けられており、この型枠固定用ステー１０は、アンカーボルト穴１４に挿通したアンカーボルト１７によって既設岸壁２の地盤面１２に固定する。また、型枠固定用ステー１０を型枠３に取付けるとき、型枠固定用ステー１０の一部のボルト穴１３は、ボルト２１で締結しないで排水口として機能させる。これにより、既設岸壁２の地盤面１２に浸透しれた海水を出入りさせることができる。
【００１９】
次に、型枠３によって取囲まれた既設岸壁２の地盤面１２の上面に鉄筋を含む第１コンクリートガレキ層４を敷設する。このとき、鉄筋を含む第１コンクリートガレキ層４は、倒壊した構造物等のガレキを利用する。これにより、災害によって発生したコンクリートガレキを有効に処理することができる。
【００２０】
次に、第１コンクリートガレキ層４を敷設した後、第１コンクリート層６を第１コンクリートガレキ層４の上面に打設する。このとき、第１コンクリート層６は、型枠３に取付けた第１コンクリート用アンカー筋８ａを埋め込むように打設する。また、第１コンクリート層６が硬化する前に、所定数の差し筋１８を第１コンクリート層６に田植えして配筋する。この差し筋１８は、第２コンクリート層７を打設する高さ位置まで設置する。
【００２１】
次に、第１コンクリート層６が適当な強度に硬化した後、差し筋１８の上端を露出させるように第２コンクリートガレキ層５を第１コンクリート層６の上面に敷設する。このとき、第２コンクリートガレキ層５は、コンクリート構造物に使用する砕石の替わりに、コンクリートガレキを敷設する。このコンクリートガレキは、鉄筋を含まないコンクリートガレキを利用する。そして、第２コンクリートガレキ層５を敷設した後、第２コンクリート層７を第２コンクリートガレキ層５の上面に打設する。このとき、第２コンクリート層７は、型枠３に取付けた第２コンクリート用アンカー筋８ｂを埋め込むように打設し、また、差し筋１８が第２コンクリート７の表面に突出しないように打設する。
【００２２】
このように、災害等によって地盤沈下した既設岸壁２の周囲を囲むように型枠３を設置し、この型枠３内に第１コンクリートガレキ層４を敷設し、この第１コンクリートガレキ層４の上面に第１コンクリート層６を打設し、更に、この第１コンクリート層６の上面に第２コンクリートガレキ層５を敷設して、最後に、第２コンクリートガレキ層５の上面に第２コンクリート７を打設するため、本発明に係る岸壁補修工法は、災害等により地盤沈下した既設岸壁２の補修作業が容易となり、また、工事期間を短縮することができる。更に、第１コンクリートガレキ層４及び第２コンクリートガレキ層５は、災害によって倒壊した構造物等のコンクリートガレキを利用することができ、また、補修後の型枠３は取外すことなくそのまま残されるので、コストを削減でき、更に、有効に処分することができる。
【００２３】
次に、図６（ａ）及び（ｂ）には、既設岸壁２が斜めに地盤沈下した場合の岸壁補修工法の概略図を示している。図６（ａ）及び（ｂ）に示すように、既設岸壁２が傾いて地盤沈下した場合、既設岸壁２と型枠固定用ステー１０との間にライナー２２を設けることで、既設岸壁２と型枠３とを安定に固定することができる。また、型枠３を既設岸壁２に設置する場合、傾き調整用ボルト１５の螺合長さを調整することで、型枠３を所定の角度で適切に設置することができる。このように、既設岸壁２が陸側又は海側に傾いて地盤沈下した場合でも、傾き調整用ボルト１５の螺合長さを調整することで、型枠３を既設岸壁２に適切な位置に設置することができる。
【００２４】
また、図７（ａ）及び（ｂ）には、既設岸壁２の地盤沈下の程度による岸壁補修工法を示す概略図を示している。図７（ａ）には、既設岸壁２が１ｍを越えて地盤沈下したときの岸壁補修工法が図示され、図７（ｂ）には、既設岸壁２が１ｍ未満で地盤沈下したときの岸壁補修工法が図示されている。図７（ａ）に示すように、既設岸壁２が１ｍを超えて地盤沈下した場合には、型枠固定用ステー１０の長辺を利用して、型枠３を既設岸壁２の上部側面に設置する。また、図７（ｂ）に示すように、地盤沈下した既設岸壁２が１ｍ未満の場合には、型枠固定用ステー１０の短辺を利用して、型枠３を既設岸壁２の下部側面に設置する。この場合、型枠固定用ステー１０の一辺を長辺に形成すると共に、型枠固定用ステー１０の他辺を短辺に形成することにより、型枠固定用ステー１０の長さの異なる各辺を選択して型枠３に取付て、既設岸壁２の地盤沈下の程度に適宜対応することができる。
【符号の説明】
【００２５】
１…岸壁、２…既設岸壁、３…型枠、４…第１コンクリートガレキ層、５…第２コンクリートガレキ層、６…第１コンクリート層、７…第２コンクリート層、１２…地盤面、１８…差し筋
【図１】
2014091993.tif 000003
【図２】
2014091993.tif 000004
【図３】
2014091993.tif 000005
【図４】
2014091993.tif 000006
【図５】
2014091993.tif 000007
【図６】
2014091993.tif 000008
【図７】
2014091993.tif 000009